【手続補正書】
【提出日】平成30年6月28日(2018.6.28)
【手続補正１】
【補正対象書類名】明細書
【補正対象項目名】０００９
【補正方法】変更
【補正の内容】
【０００９】
本発明に係る通信機器は、グループ名及びグループ識別符号を記憶しているグループ識別符号記憶手段と、複数の計算機器から計算データを取得する計算データ取得手段と、前記計算データ取得手段により取得された各計算データを、前記グループ識別符号記憶手段に記憶された前記グループ名及び前記グループ識別符号に対応付けてサーバ装置へ送信する計算データ送信手段と、を備えたことを特徴としている。
【手続補正２】
【補正対象書類名】明細書
【補正対象項目名】００１０
【補正方法】変更
【補正の内容】
【００１０】
本発明に係るサーバ装置は、前記通信機器と通信する装置であって、前記通信機器から、前記グループ識別符号に対応付けて送信された各計算データを受信し、同じグループ識別符号に対応付けられた各計算データとを統合した統合データを生成する統合データ生成手段、
を備えたことを特徴としている。
【手続補正３】
【補正対象書類名】特許請求の範囲
【補正対象項目名】全文
【補正方法】変更
【補正の内容】
【特許請求の範囲】
【請求項１】
グループ名及びグループ識別符号を記憶しているグループ識別符号記憶手段と、
複数の計算機器から計算データを取得する計算データ取得手段と、
前記計算データ取得手段により取得された各計算データを、前記グループ識別符号記憶手段に記憶された前記グループ名及び前記グループ識別符号に対応付けてサーバ装置へ送信する計算データ送信手段と、
を備えたことを特徴とする通信機器。
【請求項２】
前記グループ識別符号記憶手段は、前記サーバ装置から他の通信機器に取得されたグループ識別符号を当該他の通信機器から取得して記憶する、
ことを特徴とする請求項１に記載の通信機器。
【請求項３】
前記計算データ取得手段は、前記計算データとともに前記複数の計算機器の各機器識別符号を取得することを特徴とする請求項１または請求項２に記載の通信機器。
【請求項４】
前記計算データ取得手段は、前記計算機器からの機器識別符号と計算データとを当該機器識別符号と計算データに対応して表示された２次元コードを撮影して取得する、
ことを特徴とする請求項３に記載の通信機器。
【請求項５】
前記計算データ取得手段により取得された各機器識別符号に対応付けて文字又は記号を登録する機器登録手段を更に備えたことを特徴とする請求項３または請求項４に記載の通信機器。
【請求項６】
前記計算データ取得手段により取得された前記機器識別符号が、前記機器登録手段により登録されている場合には、当該機器識別符号に対応付けられて前記機器登録手段により登録されている前記文字又は記号を表示する機器表示手段を備え、
前記機器登録手段は、前記計算データ取得手段により取得された前記機器識別符号が、前記機器登録手段により登録されていない場合に、当該計算データ取得手段により取得された機器識別符号に対応付けてユーザ操作に応じて入力された文字又は記号を登録する、
ことを特徴とする請求項５に記載の通信機器。
【請求項７】
前記サーバ装置から同じグループ識別符号に対応付けられた各計算データを統合した統合データを受信する統合データ受信手段を更に備えたことを特徴とする請求項１ないし請求項６に記載の通信機器。
【請求項８】
前記計算データ送信手段は、前記グループ識別符号記憶手段に記憶された前記グループ名又は前記グループ識別符号をユーザ操作に応じて選択するグループ識別符号選択手段を有し、当該グループ識別符号選択手段により前記グループ名又は前記グループ識別符号が選択された場合に、前記計算データ取得手段により取得された計算データを前記選択された前記グループ名又は前記グループ識別符号に対応付けて前記サーバ装置へ統合対象データとして送信し、
前記グループ識別符号選択手段により前記グループ識別符号が選択されない場合には、前記計算データ取得手段により取得された計算データを前記グループ名又は前記グループ識別符号に対応付けずに前記サーバ装置へ送信する非統合対象計算データ送信手段をさらに備えた、
ことを特徴とする請求項７に記載の通信機器。
【請求項９】
前記統合データ受信手段は、前記計算データ送信手段により、前記計算データ取得手段により取得された機器識別符号に対応する文字又は記号と計算データとを前記選択されたグループ識別符号に対応付けて前記サーバ装置へ統合対象データとして送信した場合に、当該サーバ装置から同じグループ識別符号に対応付けられた各文字又は記号と各計算データとを統合した画像統合データを受信し、
前記非統合対象計算データ送信手段により、前記計算データ取得手段により取得された計算データを前記グループ識別符号に対応付けずに前記サーバ装置へ送信した場合には、当該サーバ装置から当該計算データに対応した画像データを受信する非統合データ受信手段をさらに備えた、
ことを特徴とする請求項８に記載の通信機器。
【請求項１０】
前記サーバ装置から前記グループ名及び前記グループ識別符号を受信するグループ識別符号受信手段と、
前記グループ識別符号受信手段により受信された前記グループ名及び前記グループ識別符号を前記グループ識別符号記憶手段に登録するグループ識別符号登録手段と、
を備えたことを特徴とする請求項１ないし請求項９の何れか１項に記載の通信機器。
【請求項１１】
請求項１に記載の通信機器と通信するサーバ装置であって、
前記通信機器から、前記グループ識別符号に対応付けて送信された各計算データを受信し、同じグループ識別符号に対応付けられた各計算データとを統合した統合データを生成する統合データ生成手段、
を備えたことを特徴とするサーバ装置。
【請求項１２】
前記通信機器から前記グループ識別符号に対応付けられた計算データが受信された場合に、同じグループ識別符号に対応付けられて受信された各計算データを統合した画像統合データを生成し、前記通信機器へ送信する統合データ送信手段と、
前記通信機器から前記グループ名及び前記グループ識別符号に対応付けられていない計算データが受信された場合に、当該計算データに対応した画像データを生成し、前記通信機器へ送信する非統合データ送信手段と、
を備えたことを特徴とする請求項１１に記載のサーバ装置。
【請求項１３】
前記統合データ送信手段は、前記通信機器から前記グループ名及び前記グループ識別符号に対応付けられた前記計算データが受信された場合に、同じ前記グループ名及び前記グループ識別符号に対応付けられて受信された各計算データを統合した画像統合データを生成し、前記通信機器へ送信する、
ことを特徴とする請求項１２に記載のサーバ装置。
【請求項１４】
通信機器のコンピュータを制御するためのプログラムであって、
前記コンピュータを、
サーバ装置からグループ名及びグループ識別符号を取得するグループ識別符号取得手段と、
複数の計算機器から計算データを取得する計算データ取得手段と、
前記計算データ取得手段により取得された各計算データを、前記グループ識別符号取得手段により取得された前記グループ名及び前記グループ識別符号に対応付けて前記サーバ装置へ送信する計算データ送信手段と、
前記サーバ装置から同じグループ識別符号に対応付けられた各計算データを統合した統合データを受信する統合データ受信手段、
として機能させるためのコンピュータ読み込み可能なプログラム。
【請求項１５】
通信機器のコンピュータを制御するための方法であって、
サーバ装置からグループ名及びグループ識別符号を取得し、
複数の計算機器から計算データを取得し、
前記取得された各計算データを、前記取得された前記グループ名及び前記グループ識別符号に対応付けて前記サーバ装置へ送信し、
前記サーバ装置から同じグループ識別符号に対応付けられた各計算データを統合した統合データを受信する、
通信機器の制御方法。
【請求項１６】
サーバ装置のコンピュータを制御するためのプログラムであって、
前記コンピュータを、
通信機器からグループ名及びグループ識別符号に対応付けられた計算データが受信された場合に、同じ前記グループ名及び前記グループ識別符号に対応付けられて受信された各計算データを統合した画像統合データを生成し、前記通信機器へ送信する統合データ送信手段と、
前記通信機器から前記グループ名及び前記グループ識別符号に対応付けられていない計算データが受信された場合に、当該計算データに対応した画像データを生成し、前記通信機器へ送信する非統合データ送信手段、
として機能させるためのコンピュータ読み込み可能なプログラム。